(57)【要約】【課題】ディスク状記録媒体の記録面に触れることなく、ディスク状記録媒体を支持すると共に、ディスク状記録媒体を収納ケースから取り出す場合にもストレスがかからないディスク状記録媒体の収納ケースを提供すること。【解決手段】上記課題を解決するために本発明のディスク状記録媒体の収納ケース１はディスク状記録媒体の中心穴Ｔの径寸法より幾分小さな外径を有する指押圧部４１と、指押圧部４１の側周面から外方に張り出すように設けられる係止爪４３と、指押圧部４１が上下動できるように指押圧部４１を支持する弾性支持片４５とを備えるディスク状記録媒体の収納ケースにおいて、係止爪４３の延長線上外方にはディスク状記録媒体の外径周縁部Ｇ下方の角部Ｋに摺接し、ディスク状記録媒体を斜め上方に向けて案内する案内傾斜面５１を形成した。【選択図】　　　　　　　図１
2004090952.tif 000002
【特許請求の範囲】
【請求項１】
ディスク状記録媒体の中心穴の径寸法より幾分小さな外径を有する指押圧部と、前記指押圧部の側周面から外方に張り出すように設けられる係止爪と、前記指押圧部が上下動できるように指押圧部を支持する弾性支持片とを備えるディスク状記録媒体の収納ケースにおいて、前記係止爪の延長線上外方にはディスク状記録媒体の外径周縁部下方の角部に摺接し、ディスク状記録媒体を斜め上方に向けて案内する案内傾斜面が形成されていることを特徴とするディスク状記録媒体の収納ケース。
【請求項２】
請求項１に記載のディスク状記録媒体の収納ケースにおいて、係止爪の延長線上外方には案内傾斜面を有する案内リブが設けられていることを特徴とするディスク状記録媒体の収納ケース。
【請求項３】
請求項１または２に記載のディスク状記録媒体の収納ケースにおいて、指押圧部の外方近傍にはディスク状記録媒体の内周側に設けられる非記録エリアに当接することでディスク状記録媒体を下方から支持するディスク受け段部が設けられていることを特徴とするディスク状記録媒体の収納ケース。
【請求項４】
請求項１〜３のいずれかに記載のディスク状記録媒体の収納ケースにおいて、収納したディスク状記録媒体の外径周縁部外方には、ディスク状記録媒体を取り囲むように環状壁が設けられており、環状壁の頂点の高さは収納したディスク状記録媒体の高さよりも幾分高くなるように設定されており、且つ環状壁には凹陥状の指掛け部が形成されていることを特徴とするディスク状記録媒体の収納ケース。
【請求項５】
請求項１〜４のいずれかに記載のディスク状記録媒体の収納ケースにおいて、指押圧部の上面にはこれに触れる指先の形状に馴染むように凹み部が形成されていることを特徴とするディスク状記録媒体の収納ケース。
【発明の詳細な説明】
【０００１】
【発明の属する技術分野】
本発明はコンパクトディスク（以下ＣＤという）やデジタルビデオディスク（以下ＤＶＤという）等、中心に位置決め用の円形の中心穴を備えるディスク状記録媒体の収納ケースに関する。
【０００２】
【従来の技術】
ディスク状記録媒体の内径周縁部を支持するディスク状記録媒体の収納ケースが従来から数多く提案されている。図７（ａ）（ｂ）はその一例を示している。図７（ａ）はディスク状記録媒体の内径周縁部と嵌合する指押圧部１０１と、指押圧部１０１の側周面から外方に庇状に張り出すように設けられる係止爪１０３と、指押圧部１０１が上下動できるように指押圧部１０１を支持する弾性支持片１０５とを備えるディスク状記録媒体の収納ケース１０９を示している。
【０００３】
符号１１１は半円環状のディスク受け段部を示し、このディスク受け段部１１１はディスク状記録媒体の外径周縁部下面に当接し、これを支持して、係止爪１０３との挟持作用によってディスク状記録媒体を支持する。
この収納ケース１０９からディスク状記録媒体を取り出すには、指押圧部１０１を下方に押し下げ、ディスク状記録媒体を下方に幾分湾曲させることによって係止爪１０３による係止状態を解除する。
【０００４】
図７（ｂ）の収納ケース１０９は基本的には図７（ａ）のものと同様の構成を採り、その相違点は指押圧部１０１、係止爪１０３及び弾性支持片１０５を有する弾性アーム１０７を互いに対向するように２組設けたことである。これに伴い、２個の弾性アーム１０７の指押圧部１０１がディスク状記録媒体の内径周縁部と嵌合する。
この収納ケース１０９からディスク状記録媒体を取り出すには、２つの指押圧部１０１を同時に押し下げ、ディスク状記録媒体を湾曲させ、２つの指押圧部１０１の係止爪１０３による係止状態を同時に解除する。
【０００５】
【発明が解決しようとする課題】
一方、ＣＤやＤＶＤのサイズは直径１２ｃｍに規格化されており、このようなＣＤやＤＶＤにできるだけ多くの情報を記録しようとすれば、記録エリアを内外周にできるだけ拡大することになる。
しかし、記録エリアを外周側に拡大すると、図７（ａ）（ｂ）に示す収納ケース１０９の構造では、ディスク受け段部１１１が記録エリアにかかってしまい、ディスク受け段部１１１との摺接によってディスク状記録媒体の記録面側にキズや汚れが付いてしまい、良好な再生に支障を来たすおそれがある。
【０００６】
また、図７（ａ）（ｂ）に示す収容ケース１０９にあっては、指押圧部１０１を押し下げることによってディスク状記録媒体を湾曲させている。即ち、湾曲させることによってディスクの作用長を短くして係止爪１０３による係止状態を解除している。従ってディスク状記録媒体を収納ケース１０９から取り外す度に、ディスク状記録媒体に対しストレスがかかってしまうことになる。１回のストレスが微量であっても、ディスク状記録媒体の出し入れを繰り返すことによって、ディスク状記録媒体が変形したり、破損に至るおそれがある。特にコンマミクロンオーダーの超高精度が要求されるＣＤやＤＶＤにあっては目に見えない変形であっても再生不良の要因となり得る。
【０００７】
本発明は、上記従来の問題点に着目してなされたものであり、ディスク状記録媒体の記録面に触れることなく、ディスク状記録媒体を支持すると共に、ディスク状記録媒体を収納ケースから取り出す場合にも、ストレスがディスク状記録媒体にかからないディスク状記録媒体の収納ケースを提供することを目的とするものである。
【０００８】
【課題を解決するための手段】
上記課題を解決するために請求項１記載の発明は、ディスク状記録媒体の中心穴の径寸法より幾分小さな外径を有する指押圧部と、前記指押圧部の側周面から外方に張り出すように設けられる係止爪と、前記指押圧部が上下動できるように指押圧部を支持する弾性支持片とを備えるディスク状記録媒体の収納ケースにおいて、前記係止爪の延長線上外方にはディスク状記録媒体の外径周縁部下方の角部に摺接し、ディスク状記録媒体を斜め上方に向けて案内する案内傾斜面が形成されていることを特徴とするディスク状記録媒体の収納ケースである。
【０００９】
請求項２記載の発明は、請求項１に記載のディスク状記録媒体の収納ケースにおいて、係止爪の延長線上外方には案内傾斜面を有する案内リブが設けられていることを特徴とするディスク状記録媒体の収納ケースである。
【００１０】
請求項３記載の発明は、請求項１または２に記載のディスク状記録媒体の収納ケースにおいて、指押圧部の外方近傍にはディスク状記録媒体の内周側に設けられる非記録エリアに当接することでディスク状記録媒体を下方から支持するディスク受け段部が設けられていることを特徴とするディスク状記録媒体の収納ケースである。
【００１１】
請求項４記載の発明は、請求項１〜３のいずれかに記載のディスク状記録媒体の収納ケースにおいて、収納したディスク状記録媒体の外径周縁部外方には、ディスク状記録媒体を取り囲むように環状壁が設けられており、環状壁の頂点の高さは収納したディスク状記録媒体の高さよりも幾分高くなるように設定されており、且つ環状壁には凹陥状の指掛け部が形成されていることを特徴とするディスク状記録媒体の収納ケースである。
【００１２】
請求項５記載の発明は、請求項１〜４のいずれかに記載のディスク状記録媒体の収納ケースにおいて、指押圧部の上面にはこれに触れる指先の形状に馴染むように凹み部が形成されていることを特徴とするディスク状記録媒体の収納ケースである。
【００１３】
【発明の実施の形態】
以下、本発明の実施の形態に係るディスク状記録媒体の収納ケース１ついて説明する。
収納ケース１はケース本体３と、このケース本体３の表面側に貼設されたカバーポケット５とから成る。ケース本体３はポリプロピレン等、比較的可撓性に富む種類のプラスチック材料により構成され、カバーポケット５は透明なポリプロピレンのフィルム等により構成されている。
【００１４】
図２に示すように、ケース本体３は背当て部７を挟んで左側に蓋ハーフ９、右側にベースハーフ１１を有しており、これらを薄肉ヒンジ１３によって開閉自在に接続することで構成されている。
背当て部７は比較的幅狭で縦に長い矩形平板状の部材で、その上縁及び下縁にはケース本体３を閉じたときに、蓋ハーフ９とベースハーフ１１の基部側にできる隙間を塞ぐ壁片１５が形成されている。
【００１５】
壁片１５は矩形平板状で、後述する蓋ハーフ９とベースハーフ１１に設けられる周壁１７、１９の一部に重なる。
蓋ハーフ９は矩形平板状の部材であり、この蓋ハーフ９の背当て部７側を除く三辺の周縁には、背当て部７の幅寸法の半分位の高さの周壁１７が形成されている。
周壁１７の上端には外周段差部２３が形成され、後述するベースハーフ１１の周壁１９に形成されている内周段差部２１と係合する構造となっている。
【００１６】
また周壁１７のうち背当て部７と接続される辺の対辺に位置する部分の中央は幾分内側に引っ込んでおり、蓋ハーフ９を開く場合の手掛かりとなる指掛け凹部２５を形成している。
符号２９は一対の係合凸部を示し、この係合凸部２９は矩形平板状に形成されている。この係合凸部２９は指掛け凹部２５を挟んで、後述するベースハーフ１１の係合凹部２７と係合する。
この他、蓋ハーフ９には係合凸部２９の上下、やや内側の位置にＤＶＤに記録された内容の概略等が記載されたブックレットやリーフットＡを挟み止めるためのＳ字形に湾曲した平板状のクリップ３１が設けられている。
【００１７】
ベースハーフ１１は上述した蓋ハーフ９とほぼ左右対称の構造を有する矩形平板状の部材である。ベースハーフ１１の背当て部７側を除く三辺の周縁には背当て部７の幅寸法の半分位の高さの周壁１９が形成されている。
周壁１９の上端には、上述した蓋ハーフ９の外周段差部２３と係合する内周段差部２１が形成されている。
また周壁１９のうち背当て部７と接続される辺の対辺に位置する部分の中央には、ベースハーフ１１を開くときの手掛かりとなる指掛け凹部３３が形成されている。
この指掛け凹部３３を挟んで、その上下には蓋ハーフ９の係合凸部２９と係合する係合凹部２７が設けられている。
【００１８】
ベースハーフ１１の内部空間がＤＶＤの収納スペースになっており、この収納スペースの中央付近には弾性アーム３５が設けられている。弾性アーム３５の外方近傍にはディスク受け段部３７が設けられている。そして、弾性アーム３５及びディスク受け段部３７を取り囲むように円環状の環状壁３９が設けられている。
【００１９】
弾性アーム３５は、ベースハーフ１１に一体に成形された舌片状の弾性支持片４５を有しており、この弾性支持片４５の先端部に指押圧部４１が形成されている。
弾性支持片４５は上方から見て台形状の板バネ様の作用をする部材で、図２において指押圧部４１の下方に位置し、図４、５に示すように側面から見るとベースハーフ１１の底面から少し浮かせた状態で指押圧部４１を支持できるように二段階に折り曲げられた形状をしている。
弾性支持片４５のベースハーフ１１に接続されている基部は弾性支持片４５の動作支点Ｐとなっている。
【００２０】
指押圧部４１はＤＶＤの円形の中心穴Ｔの径寸法より幾分小さな外径を有している。指押圧部４１は底部が開放された中空扁平円筒状に形成されている。この指押圧部４１の上面には凹み部４２が設けられており、この凹み部４２は指先の形状に馴染むように凹球面状に形成されている。
また図２において指押圧部４１の下方側の側周面には、係止爪４３が下方に向けて庇状に張り出すように設けられている。
【００２１】
弾性支持片４５が形成された部位を除く、指押圧部４１の外周には少し離れた位置にハーフリング状に湾曲したディスク受け段部３７が設けられている。このディスク受け段部３７はＤＶＤの記録エリアの内周側に設けられる非記録エリアに当接することでＤＶＤを下方から支持すると共に、上記係止爪４３との挟持作用によってＤＶＤの内径周縁部を支持する役割を有している。
【００２２】
環状壁３９は断面形状が円を４分割したような扇形をしており、その頂点の高さは弾性アーム３５によって水平に支持されたＤＶＤの上面の高さよりも幾分高くなるように設定されている。
また環状壁３９の内周側の角隅部には同じく円環状の周縁段部４７が形成されている。
【００２３】
図２において係止爪４３の下方の延長線上に位置する周縁段部４７の上面には案内リブ４９が設けられており、この案内リブ４９には側方から見て三角形に形成されている。案内リブ４９の係止爪４３に面するテーパ面はＤＶＤを斜め上方に向けて案内する案内傾斜面５１になっている。このように本実施の形態では、案内リブ４９を周縁段部４７の上面に設けているが、周縁段部４７を形成しない構成とすることも可能であり、この場合には案内リブ４９をベースハーフ１１の底面に設ける。
この他、環状壁３９の上下に２個ずつ凹陥状の指掛け部５３が設けられている。
【００２４】
次にこのような収容ケース１においてＤＶＤを収納する場合及び収納したＤＶＤを取り出す場合の各部の動作について説明する。
ＤＶＤを収納ケース１に収納する場合には、ＤＶＤの側周縁を持ってＤＶＤの内径周縁部Ｎに対して指押圧部４１が嵌合するように位置合わせし、ＤＶＤを下方に押し込む。
これにより係止片４３がＤＶＤの内径周縁部Ｎに当接し、下方に押えることによって図４（ａ）に示すように動作支点Ｐを中心として弾性アーム３５が斜め下方へ動作（回動）させられて、ある程度下がったところで係止爪４３による係止状態が解除され、弾性支持片４５の反発力によって指押圧部４１は再び最初の位置に復帰する。
【００２５】
この状態では図４（ｂ）に示すようにＤＶＤは上方からの係止爪４３及び下方からのディスク受け段部３７との挟持作用によって水平に支持されている。またＤＶＤの外形周縁部Ｇ下方の角部Ｋは案内リブ４９の案内傾斜面５１に接した状態で支持されており、ＤＶＤの内径周縁部Ｎ下面の高さＬ２と外径周縁部Ｇ下面の高さＬ１は等しい状態になっている。
【００２６】
このようにして弾性アーム３５によって支持されているＤＶＤを収納ケース１から取り出す場合には、指掛け部５３に親指を掛け、指押圧部４１の上面の凹み部４２に人差し指ないし中指の指先を当て、指押圧部４１を下方に押し下げながら、ＤＶＤの内径周縁部Ｎと外径周縁部Ｇを２本の指で挟むようにして収納ケース１から取り出す。
【００２７】
指押圧部４１が下方に押されると図５（ａ）に示すように動作支点Ｐを中心として弾性アーム３５が斜め下方に動作する。この時、係止爪４３がＤＶＤの内径周縁部Ｎを外方に向けて押す力が発生し、ＤＶＤは係止爪４３の延長線上に位置する案内リブ４９に向けて移動する。
そして、案内リブ４９の案内傾斜面５１に当接しているＤＶＤの外径周縁部Ｇは、案内傾斜面５１に案内されて斜め上方に移動する。ＤＶＤの外径周縁部Ｇがある高さまで達すると、ＤＶＤの内径周縁部ＮはＤＶＤを撓ませることなく、係止爪４３による係止状態から解除され、図５（ｂ）に示すようにＤＶＤは取り出せる状態となる。
【００２８】
以上、本発明の実施の形態について詳述してきたが、具体的な構成はこの実施の形態に限られるものではなく、本発明の要旨を逸脱しない範囲における設計の変更などがあっても本発明に含まれる。
例えば指押圧部４１はＤＶＤの内径周縁部Ｎ全周に対して嵌合する必要はなく、その一部と嵌合する構成であってもよい。従って図６（ａ）に示すように三日月形の形状でもよく、図６（ｂ）に示すように円の一部を楔状に切り落とした形状であってもよい。
【００２９】
また案内リブ４９をＤＶＤの外径周縁部Ｇを支持する支持部材として使用することも可能であり、この場合には、係止爪４３が設けられている側と反対側の係止爪４３の延長線上に案内リブ４９を別に設けたり、これと直交する方向に更に案内リブ４９を設ける等、周縁段部４７上に複数の案内リブ４９を立設することが可能である。
案内リブ４９を複数設けた場合には、ＤＶＤの外径周縁部Ｇの傾きが防止され、ＤＶＤの水平状態がより安定する。
【００３０】
また、環状壁３９の内壁面を中心に向かって、傾斜するようにテーパ状とし、案内傾斜面５１としての作用を環状壁３９に担わせるようにすることも可能である。この場合には、環状壁３９は同時にＤＶＤの外径周縁部Ｇを支持する支持部材としても機能することになる。
この他、本発明の収納ケース１をＣＤやＣＤ−ＲＯＭあるいは直径８ｃｍのディスク等、他のディスク状記録媒体に適用することも可能であるし、蓋ハーフ９側にもディスク状記録媒体の収納スペースを設け、複数枚のディスク状記録媒体を収納し得る構成とすることも可能である。
【００３１】
なお、上記実施の形態では、蓋ハーフ９とベースハーフ１１とを合わせるタイプの収納ケース１を示したが、本発明のディスク状記録媒体の収納ケースには、ベースハーフ側のみで構成されるトレイタイプのものも含まれる。すなわち、蓋ハーフを有さずベースハーフ側のみを紙などの包装材により包装するトレイタイプの収納ケースについても、本発明は適用される。
【発明の効果】
本発明によればディスク状記録媒体の記録面に触れることなく、ディスク状記録媒体を支持すると共に、ディスク状記録媒体を収納ケースから取り出す場合にも、ディスク状記録媒体にストレスがかからない。　従って、ディスク状記録媒体の記録面側にキズや汚れを付けたり、変形、破損させるおそれがなくなる。
【図面の簡単な説明】
【図１】本発明の実施の形態に係るディスク状記録媒体の収納ケースの使用状態を示す拡開状態の斜視図である。
【図２】図１の収納ケースの拡開状態の正面図である。
【図３】図１の収納ケースの拡開状態の背面図である。
【図４】ディスク状記録媒体を収納する場合の作動状態を示す図１の収納ケースの側断面図である。
【図５】ディスク状記録媒体を取り出す場合の作動状態を示す図１の収納ケースの側断面図である。
【図６】指押圧部の形状を異にする他の二種の態様を示す正面図である。
【図７】従来の二種のディスク状記録媒体の収納ケースを示す拡開状態の正面図である。
【符号の説明】
１　収納ケース　　　　　　　　　３　ケース本体
５　カバーポケット　　　　　　　７　背当て部
９　蓋ハーフ　　　　　　　　　１１　ベースハーフ
１３　薄肉ヒンジ　　　　　　　　１５　壁片
１７　周壁（蓋ハーフの）　　　　１９　周壁（ベースハーフの）
２１　内周段差部　　　　　　　　２３　外周段差部
２５　指掛け凹部　　　　　　　　２７　係合凹部
２９　係合凸部　　　　　　　　　３１　クリップ
３３　指掛け凹部　　　　　　　　３５　弾性アーム
３７　ディスク受け段部　　　　　３９　環状壁
４１　指押圧部　　　　　　　　　４２　凹み部
４３　係止爪　　　　　　　　　　４５　弾性支持片
４７　周縁段部　　　　　　　　　４９　案内リブ
５１　案内傾斜面　　　　　　　　５３　指掛け部
Ｐ　　動作支点　　　　　　　　　　Ｎ　内径周縁部
Ｔ　　中心穴　　　　　　　　　　　Ｇ　外径周縁部
Ｋ　　下方の角部
【図１】
2004090952.tif 000003
【図２】
2004090952.tif 000004
【図３】
2004090952.tif 000005
【図４】
2004090952.tif 000006
【図５】
2004090952.tif 000007
【図６】
2004090952.tif 000008
【図７】
2004090952.tif 000009